(57)【要約】車両（１）のためのフロントガラス組立体（１０）であって、フロントガラスパネル（１１）と、フロントガラスパネル（１１）を支持するための支持構造体（１２）とを有するフロントガラスパネル群（１１，１２）と、ワイパー（１３）、ワイパー（１３）を駆動するための駆動モータ群（１４）、液体用のタンク（１５）及びタンク（１５）に作動可能に接続されたポンプ（１６）を有するワイパー群（２０）とを備える。ワイパー群（２０）は、フロントガラスパネル群（１１，１２）に支持され、前記フロントガラス組立体（１０）は前記車両に取外可能に連結されるように構成されている。【選択図】図２
2017532252.tif 000002
【特許請求の範囲】
【請求項１】
フロントガラスパネル（１１）及び前記フロントガラスパネル（１１）を支持する支持構造体（１２）を有するフロントガラスパネル群（１１，１２）と、
ワイパー群（２０）と、
を備え、
前記ワイパー群（２０）は、ワイパ（１３）と、ワイパ（１３）を作動させる駆動モータ群（１４）と、液体用のタンク（１５）と、タンク（１５）に作動的に接続されたポンプ（１６）とを備え、
前記ワイパー群（２０）は、フロントガラスパネル群（１１，１２）によって支持され、車両に取外可能に連結されている、車両（１）のためのフロントガラス組立体（１０）。
【請求項２】
前記車両（１）は、電動自転車、オートバイ、モペット、スクーター、トライク、ATV（四輪車/三輪車）、ジェットスキー 、スノーモービルから選択される車両である、請求項１に記載のフロントガラス組立体（１０）。
【請求項３】
前記車両（１）は、車両フレームと、ハンドルバーと、を備え、前記支持構造体（１２）は、前記車両フレーム又は前記ハンドルバーに取外可能に固定でき、前記駆動モータ群（１４）、前記タンク（１５）及び前記ポンプ（１６）は、前記支持構造体（１２）によって支持されている、請求項１又は２に記載のフロントガラス組立体（１０）。
【請求項４】
前記タンク（１５）は前記支持構造体（１２）に固定され、前記駆動モータ群（１４）及び前記ポンプ（１６）はタンク（１５）に支持されている、請求項３に記載のフロントガラス組立体（１０）。
【請求項５】
前記タンク（１５）は、前記駆動モータ群（１４）が収容される収容凹部（２１）を形成されている、請求項１から４のいずれか１項に記載のフロントガラス組立体（１０）。
【請求項６】
前記駆動モータ群（１４）と前記ポンプ（１６）との間の少なくとも１箇所に動作可能に接続された少なくとも１つのクイックカップリング電気コネクタを備え、前記少なくとも１つのクイックカップリング電気コネクタが、 前記車両（１）に設けた相補的な高速カップリング電気コネクタと接続されるように構成されている、請求項１から５のいずれか１項に記載のフロントガラス組立体（１０）。
【請求項７】
前記駆動モータ群（１４）及び前記ポンプ（１６）を制御する制御要素を備え、前記タンクは、前記制御要素のためのハウジングシート（３０）を有する、請求項１から６のいずれか１項に記載のフロントガラス組立体（１０）。
【請求項８】
前記ワイパー群（２０）は、前記ワイパー（１３）を有するパンタグラフ機構（１３０）を備えている、請求項１から７のいずれか１項に記載のフロントガラス組立体（１０）。
【請求項９】
前記駆動モータ群（１４）は、前記フロントガラスパネル（１１）を貫通して前記ワイパ（１３）に動作可能に連結された駆動シャフト（１４２）を備えている、請求項１から８のいずれか１項に記載のフロントガラス組立体（１０）。
【請求項１０】
前記支持構造体（１２）は、取外可能に取り付けるために前記車両フレームに設けた対応する第２の連結要素と協働するように適合された第１の連結要素（１２１）を有し、フロントガラス組立体（１０）は、前記タンク（１５）を前記支持構造体（１２）に取外可能に取り付けるための接続要素（１２２，１２３）を備え、前記接続要素（１２２，１２３）は、前記支持構造体（１２）に設けた第１の接続要素（１２２）を有する、請求項１から９のいずれか１項に記載のフロントガラス組立体（１０）。
【請求項１１】
前記支持構造体（１２）は、前記フロントガラスパネル（１１）に結合された略「Ｕ」形状をした支持アーム（１２４）と、前記支持アーム（１２４）に一体化された複数の取付ブラケット（１２５）とを備え、前記各取付ブラケット（１２５）は、前記第１の連結要素（１２１）の少なくとも１つと、前記第１の接続要素（１２２）の少なくとも１つとを備えている、請求項１０に記載のフロントガラス組立体（１０）。
【請求項１２】
前記各取付ブラケット（１２５）は、支持アーム（１２４）に対して突出する少なくとも１つの取付部と、前記第１の接続要素（１２２）の少なくとも１つと、を備えている、請求項１１に記載のフロントガラス組立体（１０）。
【請求項１３】
前記各取付ブラケット（１２５）は、前記第１の接続要素（１２１）の少なくとも１つを有すると共に、前記第１の連結要素（１２１）の少なくとも１つを備える前記取付部に対して反対方向又はほぼ反対方向に前記支持アーム（１２４）から突出する追加の取付部をさらに備えている、請求項１２に記載のフロントガラス組立体（１０）。
【請求項１４】
前記車両（１）は、二輪/三輪/四輪の車両であり、オートバイ、モペット、三輪車又は四輪車として認定されている、請求項１に記載のフロントガラスアセンブリ（１０）。
【請求項１５】
前記請求項１から１４のいずれか１項に記載のフロントガラス組立体（１０）に連結された車両（１）。
【発明の詳細な説明】
【技術分野】
【０００１】
本明細書は、車両用フロントガラスの技術分野に関する。特に、本明細書は、フロントガラスパネルと、このフロントガラスパネルに取り付けたワイパーを備えたフロントガラス組立体に関する。
【背景技術】
【０００２】
非限定的な例として、スクーター及び自動二輪車の分野では、例えば、風、雨、及び、運転上の快適性や安全性に悪影響を及ぼす要素から運転者を保護することにより、より快適に車両を運転する主な機能を有するフロントガラスパネルをスクーター又は自動二輪車に装備することが公知である。雨天の場合、フロントガラスパネルに付着した水滴が運転者の視界を妨げ、特に夜間での運転の安全に影響する。このようなリスクを低減するため、ワイパーをスクーター又はオートバイのフロントガラスパネルに設けることが公知である。特に、比較的完成度の高いワイパーシステム、すなわちワイパー、ワイパーを駆動するモータ、フロントガラスパネルをクリーニングするための液体を収容するのに適したタンク、及び、タンクに作動可能に接続されたポンプを備えたワイパーシステムが必要であれば、車両にワイパーシステムを強固に一体化することが公知である。また、自動車と同様な屋根カバー及びフロントガラスを有するスクーターが公知である。この種のスクーターは、スクーター自体に組み込まれた前述のタイプの完全なワイパーシステムを備える。換言すれば、このワイパーシステムでは、ワイパーシステムの駆動モータ、ポンプ及びタンクが、スクーターのシェル内のダッシュボードの下方に配置され、駆動モータ及びポンプを駆動するための制御装置が、ダッシュボードに配置されている。しかしながら、この種のワイパーシステムの設置には比較的長い時間が必要であり、しかもその作業は比較的困難である。
【発明の概要】
【発明が解決しようとする課題】
【０００３】
本明細書の一般的な目的は、フロントガラスパネルに関連するワイパーを備えたフロントガラス組立体を利用可能にすることであり、公知技術に関する上述のタイプの比較的完全なワイパーシステムの設置を可能とすることである。
【課題を解決するための手段】
【０００４】
この目的及び他の目的は、最も一般的な形態の請求項１に記載のフロントガラス組立体及びいくつかの特定の実施形態の従属請求項によって達成される。
【図面の簡単な説明】
【０００５】
【図１】本実施形態に係るフロントガラス組立体を備えた車両の一部を示す立体正面図である。
【図２】図１の車両から取り外したフロントガラス組立体を図１とは反対側から見た部分立体図である。
【図３】図１の車両及びウインドスクリーンアセンブリの部分立体正面図あり、特に、フロントガラスアセンブリの一部を除去した部分立体正面図である。
【図４】図１の車両及びウインドスクリーンアセンブリの部分立体平面図であり、特に、フロントガラスアセンブリの一部を除去した部分立体平面図である。
【発明を実施するための形態】
【０００６】
添付図面において、同一又は類似の要素を同一参照番号で示す。
【０００７】
図１には、車両フレーム（公知のタイプのため図示せず）を有し、本実施形態に係るフロントガラス組立体１０を備えた車両１が示されている。この例では、車両１は自動車であり、２つの前輪と１つの後輪を有する三輪の車両１すなわちオート三輪１であるのが好ましい。より好ましい車両１は、車両を（前輪が後輪と共に傾斜すなわちローリング運動可能な）自動二輪車として駆動できるように、２つの平行で傾斜可能な前方操舵輪と、フレームに一体化された後部中央の駆動輪とを備えた三輪の車両であり、そのような前方操舵システム（関節連結した四辺形）は、後輪に対して回転可能で、前輪は後輪のように傾斜することができるが、常に地面に接触したままであり、路面への付着をより確実にする。この種の車両は、例えば、PIAGGIO＆C SPA.のEP1561612又はEP1484239に記載されている。いずれの公報でも、明細書の示唆によりこの種の車両１すなわち一般的な三輪車１に限定されないことが認められる。一般に、車両１には、電気自転車、オートバイ スクーター、トライク、ＡＴＶ（四輪車/三輪車）、ジェットスキー、またはスノーモービルが含まれるが、これらには限定されない。 さらに一般には、車両１は、オートバイ、モペット、三輪車又は四輪車として認定されている二輪/三輪/四輪のいずれの車両であってもよい。より好ましくは、車両１は、屋根を覆わない車両、すなわち、車両に一体化された固定タイプの屋根カバーがない車両である。
【０００８】
図１及び図２に示すように、フロントガラス組立体１０は、フロントガラスパネル群１１，１２及びワイパー群２０（図２）を備える。フロントガラスパネル群１１，１２は、フロントガラスパネル１１、好ましくはポリカーボネート製のフロントガラスパネル１１と、フロントガラスパネル１１を支持するための支持構造体１２とを備える。
【０００９】
ワイパー群２０は、ワイパー１３と、ワイパー１３を駆動する駆動モータ群１４と、液体用タンク１５と、タンク１５に作動的に連結されたポンプ１６とを備える。タンク１５は、樹脂製であるのが好ましく、ポンプ１６によってフロントガラスパネル１１に送られる液体を収容するのに適しており、公知の手法によりフロントガラスパネル１１をワイパー１３で清掃可能である。ワイパー群２０は、ワイパー１３を有するパンタグラフ機構１３０を備えるのが好ましい。好適な実施形態によれば、駆動モータ群１４は、ギアモータ１４Ｂに駆動可能に連結された駆動モータ１４Ａを備える。図３に示すように、駆動モータ群１４は、タンク１５のタンク壁１５Ａに固定されているのが好ましい。駆動モータ群１４は、固定プレート１４Ｃ、好ましくは金属固定プレート１４Ｃに固定され、壁１５Ａに、例えばボルトで固定されているのがさらに好ましい。タンク１５は、駆動モータ群１４のトランスミッションコネクティングロッド１４１に対向するタンク貫通開口１５Ｂを備える。開口１５Ｂは、コネクティングロッド１４１を含む複合レバーのハウジングがワイパー１３の動作を制御可能とする機能を有する。開口１５Ｂは、タンクに干渉することなく複合レバーを動作可能とし、ワイパー群２０の大きさを抑制するのに都合のよい形となっている。好ましい実施形態によれば、駆動モータ群１４は、フロントガラスパネル１１を貫通してワイパー１３に作動的に接続される駆動軸１４２（図３）を含む。また駆動シャフト１４２は、タンク１５、好ましくはタンク壁１５Ａを貫通する。ワイパー群２０が前述のパンタグラフ機構１３０を備える場合、フロントガラス組立体１０は、パンタグラフ機構１３０のロッド１３１に回転可能に連結される補助回転軸１４３も備えるのが好ましい。
【００１０】
図４に示すように、好ましい実施形態によれば、フロントガラス組立体１０は、駆動モータ群１４及びポンプ１６を制御するための制御要素（公知のタイプのため図示せず）を備える。このような制御要素は、例えば、 駆動モータ群１４を作動させるためのボタンと、モータ群１４とポンプ１６に作動的に接続されたポンプ１６を作動させるためのボタンとを含む。タンク１５は、駆動モータ群１４とポンプ１６の制御要素を収容するためのハウジングシート３０を備える。
【００１１】
図２に示すように、ワイパー群２０はフロントガラスパネル群１１，１２に支持されている。 好適な実施形態によれば、フロントガラス組立体１０は、車両１の前述の車両フレーム（図示せず）に取り外し可能に連結される。本発明の一実施形態によれば、フロントガラス組立体１０は、好ましくは適切な接続ブラケットを用いて、車両１のハンドルバーに取り付けることができる。
【００１２】
好ましい実施形態によれば、支持構造体１２は、車両フレームに取り外し可能に固定でき、駆動モータ群１４、タンク１５及びポンプ１６は、支持構造体１２に支持される。タンク１５は支持構造体１２に固定され、駆動モータ群１４及びポンプ１６はタンク１５に支持されるのが好ましい。タンク１５は、例えば、限定するものではないが、図２に示すような略四角形の形状を有する収容凹部２１を形成されている。
【００１３】
好ましい実施形態によれば、支持構造体１２は、結合穴１２１等の第１結合要素１２１を備える。支持構造体１２は、車両フレームに取外可能に固定するために、車両フレームに設けた第２連結要素（図示せず）と協働するのに適している。車体フレームに設けた第２連結要素（図示せず）は、例えば、支持構造体１２を車両に固定するために、各連結ネジ又は各連結ボルトを挿通可能となるように、結合穴１２１に対応するフレーム孔を備えていてもよい。フロントガラス組立体１０は、タンク１５を支持構造体１２に取り外し可能に固定するための接続要素１２２，１２３（図２及び図３）を備えるのが好ましい。接続要素１２２，１２３は、例えば、支持構造体１２に設けた第１連結穴１２２等の第１連結要素１２２を備え、さらに、連結要素１２２，１２３は、第２連結要素１２３を備える。第２連結要素１２３は、例えば、タンク１５を支持構造体１２に固定するためにタンク１５に設けた第１連結穴１２２及び第２連結穴を貫通するのに適した連結ボルト１２３又は連結ネジを備えるのが好ましい。
【００１４】
好ましい実施形態によれば、図１及び図２に示すように、支持構造体１２は、概略「Ｕ」形状を有し、フロントガラスパネル１１に好ましくは取り外し可能に連結される支持アーム１２４と、支持アーム１２に好ましくは溶接で一体化される、多数の取付ブラケット１２５、数は制限されないが、例えば２つのブラケット１２５と、を備える。各取付ブラケット１２５は、少なくとも１つの前記第１結合要素１２１と、少なくとも１つの前記第１連結要素１２２とを備える。一例では、各ブラケット１２５は、一対の結合穴１２１と、一対の第１連結穴１２２とを備える。また、支持構造体１２は、例えば、溶接で支持アーム１２４に一体化された補助取付ブラケット１２６を備えるのが好ましい。一例では、支持構造体１２は、数は制限されないが、２つの補助取付ブラケット１２６を備える。各補助取付ブラケット１２６は、第１結合要素１２１の一方、特に、結合穴１２１を備える。
【００１５】
好ましい実施形態によれば、取付ブラケット１２５、好ましくは、補助取付けブラケット１２６は、取付プレート１２５，１２６からなるか、あるいは備える。
【００１６】
好ましい実施形態によれば、補助ブラケット１２６は中心ブラケットであり、ブラケット１２５は補助ブラケット１２６に対してそれぞれ反対側に配置された側方ブラケットである。好ましい実施形態によれば、各ブラケット１２５は、支持アーム１２４から突出する、例えば、取付タブ等の少なくとも１つの取付部と、前記第１連結要素１２２の少なくとも１つとを備える。また、好ましい実施形態によれば、各取付ブラケット１２５は、例えば、前記第１結合要素１２１の少なくとも１つを備えた取付タブ等のさらなる取付部と、前記第１連結要素１２２の少なくとも１つとを備える。
【００１７】
好ましい実施形態によれば、引き続き図２に示すように、フロントガラス組立体１０は、駆動モータ群１４とポンプ１６のうちの少なくとも１つに動作可能に接続された少なくとも１つのクイックカップリング電気コネクタ（公知のタイプのため図示せず）を備える。雄型又は雌型の電気コネクタのようなクイックカップリング電気コネクタは、例えば、車両、好ましくは、車両の前部に設けられる雄型又は雌型コネクタ等の相補的クイックカップリング電気コネクタに接続されている。そのような相補的コネクタは、例えば、車両のバッテリ又は他の電力供給装置と、好ましくは前記制御要素とに接続されてワイパー群２０に電力を供給可能とする。適切な実施形態によれば、特にフロントガラス組立体１０の車両１への組立あるいは分解を迅速に行っているので、例えば、電気ケーブル１６１，１６２（図２）によって、駆動モータ群１４及びポンプ１６に電気接続される単一のクイックカップリング電気コネクタと、車両１内の単一の相補的クイックカップリング電気コネクタとが設けられている。別の実施形態によれば、駆動モータ群１４とポンプ１６に関連する複数のクイックカップリング電気コネクタ、例えば、駆動モータ群１４に関連するコネクタと、ポンプ１６に関連するコネクタとを設けてもよいし、車両１に設けた複数の対応する相補的なクイックカップリング電気コネクタを設けてもよい。さらに別の実施形態によれば、電気ケーブル１６１，１６２は、クイックカップリング電気コネクタを設けることなく、車両１のバッテリ又は他の電力供給装置に接続できる。
【００１８】
したがって、前記記載に基づいて、フロントガラス組立体が、先行技術の状態を参照して上述した目的をどのように達成することができるかを理解することが可能である。
【００１９】
実際に、本明細書に於けるフロントガラス組立体は、支持構造体を車体フレームに着脱するだけで、車両に一括して取り付け/取り外しできるので、フロントガラス組立体が取り付けられる車両に比較的完全なワイパーシステムが特に迅速に設置される。また、本明細書に於けるフロントガラス組立体は、必要ならば、ワイパーなしのフロントガラスと容易に交換可能である。さらに、本明細書に於けるフロントガラスは、ワイパーなしの通常のフロントガラス、例えば、そのようなワイパーなしのフロントガラスに設けた同様な固定要素を使用して、ワイパー規格のないフロントガラスとして設置できるため、設置しようとする車両に与える衝撃は特に低くなる。したがって、本明細書に於けるこのようなフロントガラス組立体は、ワイパー規格のないフロントガラスと容易に交換可能であるが、その逆も可能であり、例えばフレームを何ら変更する必要がない。
【００２０】
実施形態及び構成の詳細は、本発明の原理への先入観なしに、単に非限定的な例として記載及び図示されたものであり、添付の特許請求の範囲に定義された発明から逸脱することなく広く変更されてもよい。
【符号の説明】
【００２１】
１…車両
１０…フロントガラス組立体
１１，１２…フロントガラスパネル群
１１…フロントガラスパネル
１２…支持構造体
１３…ワイパー
１４…駆動モータ群
１４Ａ…駆動モータ
１４Ｂ…ギアモータ
１５…タンク
１５Ａ…壁
１５Ｂ…貫通開口
１６…ポンプ
２０…ワイパー群
２１…収容凹部
３０…ハウジングシート
１２１…第１結合要素（結合穴）
１２２…第１連結要素（第１連結穴）
１２３…第２連結要素（連結ボルト）
１２４…支持アーム
１２５…ブラケット
１２６…補助取付ブラケット
１３０…パンタグラフ機構
１３１…ロッド
１４１…コネクティングロッド
【図１】
2017532252.tif 000003
【図２】
2017532252.tif 000004
【図３】
2017532252.tif 000005
【図４】
2017532252.tif 000006
【国際調査報告】
2017532252.tif 000007
2017532252.tif 000008
2017532252.tif 000009